Podtech/llm-jp-corpus-v4-ja_patent huggingface dataset:
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
サンプルが分注された反応容器に試薬を分注する分注プローブと、
前記分注プローブを制御する制御装置とを有し、
前記制御装置は、
前記分注プローブが、前記試薬を収容する試薬容器から前記試薬を吸引する吸引工程と、
前記分注プローブが、吸引した前記試薬のうち、第１の液量を前記反応容器に吐出し、
前記反応容器内で前記試薬と前記サンプルとが混合された混合液のうち、第２の液量を前記反応容器から吸引する第１の吐出吸引工程と、
前記分注プローブが、吸引した前記混合液及び前記試薬をあらかじめ定められた吐出量を吐出する最終吐出工程と、
前記第１の吐出吸引工程の後、前記最終吐出工程の前に、前記分注プローブが、吸引した前記混合液及び前記試薬のうち、第３の液量を前記反応容器に吐出し、前記混合液のうち、第４の液量を前記反応容器から吸引する第２の吐出吸引工程と、
を実行するよう制御され、
前記第１の液量は前記第３の液量よりも少なく、前記第１の液量及び前記第３の液量は、前記あらかじめ定められた吐出量よりも少ない自動分析装置。
【請求項２】
請求項１において、
前記第１の液量は前記第３の液量の半分よりも多い自動分析装置。
【請求項３】
請求項１において、
前記第２の液量は、前記第１の吐出吸引工程後に前記反応容器に残る前記混合液の量が所定量以上となるように設定され、
前記第４の液量は、前記第２の吐出吸引工程後に前記反応容器に残る前記混合液の量が所定量以上となるように設定される自動分析装置。
【請求項４】
請求項１〜３のいずれか１項において、
前記サンプルは血液であり、前記試薬は希釈液であり、
前記あらかじめ定められた吐出量は、前記血液を前記希釈液により希釈する濃度によって定められる自動分析装置。
【請求項５】
請求項１〜３のいずれか１項において、
前記制御装置は、前記吸引工程の前に、
前記分注プローブが、前記サンプルを収容するサンプル容器から前記サンプルを前記反応容器に分注するサンプル分注工程を実行するよう制御する自動分析装置。
【請求項６】
請求項５において、
前記サンプル容器が配置されるサンプルディスクと、
複数の反応セルが円周上に配置される反応ディスクとを有し、
前記分注プローブの軌道は、前記サンプルディスク上の前記サンプル容器、前記反応ディスク上の反応セル、前記試薬容器及び前記反応容器に分注動作可能なように設定される自動分析装置。
【手続補正２】
【補正対象書類名】明細書
【補正対象項目名】０００９
【補正方法】変更
【補正の内容】
【０００９】
本発明の一実施の形態である自動分析装置は、サンプルが分注された反応容器に試薬を分注する分注プローブと、分注プローブを制御する制御装置とを有し、制御装置は、分注プローブが、試薬を収容する試薬容器から試薬を吸引する吸引工程と、分注プローブが、吸引した試薬のうち、第１の液量を反応容器に吐出し、反応容器内で試薬とサンプルとが混合された混合液のうち、第２の液量を反応容器から吸引する第１の吐出吸引工程と、分注プローブが、吸引した混合液及び試薬をあらかじめ定められた吐出量を吐出する最終吐出工程と、第１の吐出吸引工程の後、最終吐出工程の前に、分注プローブが、吸引した混合液及び試薬のうち、第３の液量を反応容器に吐出し、混合液のうち、第４の液量を反応容器から吸引する第２の吐出吸引工程と、を実行するよう制御され、第１の液量は第３の液量よりも少なく、第１の液量及び第３の液量は、あらかじめ定められた吐出量よりも少ない。
【手続補正書】
【提出日】令和2年4月6日(2020.4.6)
【手続補正１】
【補正対象書類名】特許請求の範囲
【補正対象項目名】請求項１
【補正方法】変更
【補正の内容】
【請求項１】
所定の地上面に、当該地上面と同一の面積及び平面形状の日陰を生成する方法であって、
生成しようとする日陰と同一の面積及び平面形状のシート部材を介して接続される複数のドローンを、第一の位置に飛行させ、当該第一の位置において当該シート部材と前記所定の地上面とが水平になるようにホバリングさせるステップと、
時間の経過とともに、前記複数のドローンの飛行位置を第一の位置から第二の位置に当該シート部材と前記所定の地上面との水平を維持しながら移動させ、当該第二の位置において当該シート部材と前記所定の地上面とが水平になるように当該複数のドローンをホバリングさせるステップとを有し、
前記複数のドローンは、その各々の外縁部の内側にプロペラを有する、プロペラ内蔵型のドローンであり、
前記シート部材は、当該シート部材と前記複数のドローンが同一面を構成するように、当該シート部材の外縁部と当該複数のドローンの各々の外縁部を介して、当該複数のドローンと直接接着され、
前記第一の位置は、第一の時刻において、前記シート部材により前記所定の地上面に生成される日陰が当該所定の地上面と合致する対流圏内の位置であって、日付、当該所定の地上面の緯度及び経度並びに前記複数のドローンの飛行高度に基づき決定され、
前記第二の位置は、第二の時刻において、前記シート部材により前記所定の地上面に生成される日陰が当該所定の地上面と合致する対流圏内の位置であって、日付、当該所定の地上面の緯度及び経度並びに前記複数のドローンの飛行高度に基づき決定され、
時間の経過に伴う太陽と前記所定の地上面との位置関係の変化にかかわらず、当該所定の地上面のみに当該所定の地上面と同一の面積及び平面形状の日陰を生成し続けることを特徴とする、方法。
【手続補正書】
【提出日】令和1年11月28日(2019.11.28)
【手続補正１】
【補正対象書類名】明細書
【補正対象項目名】００７２
【補正方法】変更
【補正の内容】
【００７２】
これより図１６Ｂを参照すると、図１６Ｂは、マイクロコントローラの変更によって、図１５のＢＣＭ制御フラッシャ・システムに設置されたストロボ・モジュールの実施形態を示す配線図である。既に説明したように、そして当業者には周知のように、ＢＣＭ１５１０は１つ以上のマイクロコントローラまたは中央処理ユニット１６０２を含むことができる。ＣＰＵ１６０２は、信号光およびハザード・ランプの動作を含むがこれらに限定されない、ＢＣＭの種々の機能に関連付けられたロジックを実行することができる。ここでは、ＢＣＭ１５１０は、本明細書において説明したように、ハザード・ランプの明滅機能を直接制御するように構成される（明滅機能がＢＣＭの「下流側」で実施される図１６Ａのシステムとは対照的）。これは、補助チップ１６０４によって遂行することができる。補助チップ１６０４は、メモリと、ハザード・ランプの適正なタイミングのための命令（例えば、１つまたは複数のストロボ効果）とを内蔵することができる。このような補助チップ１６０４は、ＢＣＭ１５１０に直接配線することができ、またはコントローラ・エリア・ネットワーク（ＣＡＮ）バスのようなバス（図示せず）を通じてＢＣＭ１５１０と通信することもできる（今日、多くの車両にはＣＡＮバスが既に装備されている）。他の実施形態では、ハザード・スイッチおよび／または信号レバーからの入力に応答して明滅状に車両光を駆動するために必要なロジックおよびタイミング情報の全てをＢＣＭ１５１０が内蔵するので、追加のチップやメモリは必要でない。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
左右に離間して配置された左右のサイドフレームを有するクッションフレームと、
板状の本体部と、前記クッションフレームに架設するための掛止部と、左右方向の位置を規制される規制部と、を有し、乗員を支持する支持部材と、
前記サイドフレームに対して回動可能に連結された、ハイト調整機構のリンク部材と、を備え、
前記本体部は、上向きの部分と、当該上向きの部分から前記掛止部に向けて立ち上がる壁部とを有し、
前記規制部は、前記リンク部材の上端よりも下方、かつ、前記壁部よりも上に位置することを特徴とする乗物用シート。
【請求項２】
前記支持部材に当接して前記支持部材の左右方向の位置を規制する位置規制部材をさらに備え、
前記位置規制部材は、前記リンク部材の上端よりも下方に配置されることを特徴とする請求項１に記載の乗物用シート。
【請求項３】
前記規制部は、前記位置規制部材の上端よりも下方に配置されることを特徴とする請求項２に記載の乗物用シート。
【請求項４】
前記位置規制部材の上端は、前記本体部よりも上に位置することを特徴とする請求項２または請求項３に記載の乗物用シート。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
容器の頚部開口部を密封するための栓であって、
閉口端と開口端を有する筒状の本体と、
前記本体の開口端に破断可能に接続された環状のタンパーエビデンスバンドを備え、
前記タンパーエビデンスバンドは複数の留め用カムを備え、前記複数の留め用カムはそれぞれその内面から突起し、使用時に容器頚部が前記本体の開口端に挿入されると前記頚部のフランジに係合する引き込みランプと、前記栓が前記容器から取り外される時に前記フランジに係合して前記本体から前記タンパーエビデンスバンドを分離させる止部とを有し、前記複数の留め用カムの内の少なくとも１つの前記引き込み用ランプは二つ以上のランプ部を画成する凹部を有し、各ランプ部は、前記フランジの該ランプ部への乗りあげの際に、前記フランジにより印加される圧力の増加を吸収すべく該ランプ部の幅が広がるように、前記止部から前記栓の開口部向かって先細りになっている側面を有していることを特徴とする栓。
【請求項２】
請求項１に記載の栓であって、前記ランプ部の間の凹部の少なくとも一部が、前記タンパーエビデンスバンドの内面と連続または同一平面上にあることを特徴とする栓。
【請求項３】
請求項１または２に記載の栓であって、前記止部は前記閉口端の方向に配向されており、前記間隔を置いて設けられたランプ部を架して設けられていることを特徴とする栓。
【請求項４】
請求項３に記載の栓であって、前記少なくとも１つのカムは、略Ｕ字型であり、各ランプ部は、前記タンパーエビデンスバンドの開口端に向かって傾斜し、前記容器頚部のフランジと当接するランプ面を有し、前記止部は前記フランジと係合する、間隔を置いて設けられたランプ部を架する略半径方向の面を有することを特徴とする栓。
【請求項５】
請求項１ないし４の何れか１項に記載の栓であって、前記凹部は、前記カムから成形材料を取り除いて形成された扇状部分を有することを特徴とする栓。
【請求項６】
請求項１ないし７の何れか１項に記載の栓であって、前記閉口端を画成する頂壁と、前記頂壁から下垂し前記本体の開口端を画成する環状側壁を有し、前記側壁は、２周以上の巻きを有するネジ山を備え、前記巻きの各周は軸方向の通気路を形成する複数の不連続部を有しており、巻きの一つは、他の巻きの不連続部と軸方向に整合する連続部を有することを特徴とする栓。
【請求項７】
請求項６に記載の栓であって、前記頂壁は、そこから下垂し、前記容器頚部の頂面と当接する当接部を有することを特徴とする栓。
【請求項８】
請求項７に記載の栓であって、前記当接部は、前記頂壁から下垂し前記頂壁の周囲方向に間隔を置いて設けられた複数の突出部を有し、各突出部は前記当接面の一部をなしていることを特徴とする栓。
【請求項９】
請求項７または８に記載の栓であって、前記側壁と前記頂壁の周囲の間に中間壁を有し、前記頂壁は第１直径を有し、前記環状側壁は該第１直径より大きい第２直径を有し、前記中間壁は前記頂壁の周囲から下垂する第１軸方向部と、前記環状側壁に前記第１軸方向部の下端を繋げる第２半径方向部を有する環状段部を有し、前記半径方向部は前記当接部または前記当接面を含むことを特徴とする栓。
【請求項１０】
請求項９に記載の栓であって、請求項１０を引用する場合、前記突出部は前記半径方向部から下垂し、前記半径方向部の周囲方向に間隔を置いて設けられていることを特徴とする栓。
【請求項１１】
請求項１０に記載の栓であって、前記半径方向部の内側から下垂した内側環状密封部と、前記半径方向部の外側または中間部から下垂した外側環状密封部とを有し、前記突出部は前記内側および外側密封部の間に、前記内側および外側密封部のそれぞれから間隔を置いて設けられていることを特徴とする栓。
【請求項１２】
請求項１０または１１に記載の栓であって、各突出部は前記半径方向部からその当接面に向かって先細りになっていることを特徴とする栓。
【請求項１３】
請求項９ないし１２の何れか１項に記載の栓であって、第１および第２リブを含む複数の軸方向外部リブを備え、前記第１リブは前記第２リブより長いことを特徴とする栓。
【請求項１４】
請求項１３に記載の栓であって、前記第１リブは前記頂壁から前記側壁の基部に向けて延在しており、前記第２リブは前記中間壁から前記側壁の基部に向けて延在していることを特徴とする栓。
【請求項１５】
請求項１３または１４に記載の栓であって、各第２リブは、対になった前記第１リブの間に設けられていることを特徴とする栓。
【請求項１６】
請求項７ないし１５の何れか１項に記載の栓であって、前記当接面から前記頂壁の頂部までの延長部と、前記側壁の基部から前記頂壁の頂部までの有効栓高さを有し、前記延長部は、前記有効栓高さの少なくとも１０％であることを特徴とする栓。
【請求項１７】
請求項１６に記載の栓であって、前記延長部は前記有効栓高さの少なくとも２５％であることを特徴とする栓。
【請求項１８】
請求項１６または１７に記載の栓であって、前記タンパーエビデンスバンドの基部から前記頂壁の頂部までの栓全体の高さを有し、前記延長部は前記栓全体の高さの少なくとも１０％であることを特徴とする栓。
【請求項１９】
請求項１８に記載の栓であって、前記延長部は前記栓全体の高さの少なくとも２０％であることを特徴とする栓。
【請求項２０】
請求項１に記載の栓であって、前記閉口端を画成する頂壁と、前記頂壁から下垂し前記本体の開口端を画成する環状側壁と、前記側壁と前記頂壁の周囲の間にある中間壁と、複数の軸方向外部リブとを有し、前記頂壁は第１直径を有し、前記環状側壁は該第１直径より大きい第２直径を有し、前記中間壁は前記頂壁の周囲から下垂する第１軸方向部と、前記環状側壁に前記第１軸方向部の下端を繋げる第２半径方向部とを有する環状段部を有し、前記第２半径方向部は、そこから下垂し、その周縁に間隔を置いて設けられていて前記容器頚部の頂面に当接する当接面を備えた複数の突出部を有し、前記側壁は、２周以上の巻きを有するネジ山を備え、前記巻きの各周は軸方向の通気路を形成する複数の不連続部を有しており、巻きの一つは、他の巻きの不連続部と軸方向に整合している連続部を有し、前記複数のリブは、前記頂壁から前記側壁の基部に向けて延在する第１リブと、該第１リブの各対の間に設けられた第２リブを含み、前記第２リブは前記第１リブより短く、かつ前記中間壁から前記側壁の基部に向けて延在していることを特徴とする栓。
【請求項２１】
成形配置時に、請求項１ないし２０の何れか１項に記載の栓を成形する成形用キャビティを共に形成する複数の成形インサートを備える金型スタック。
【請求項２２】
請求項２１に記載の成形スタックを備える金型。
【請求項２３】
請求項２２に記載の金型を備える成形システム。
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
以下を含む、抗TF ADCの凍結乾燥製剤を調製するのに適した水溶液：
a.  約7〜約20 g/Lの抗TF-ADC、および、以下のb、cもしくはdのいずれか2つの組み合わせ、またはb、cもしくはdのすべて：
b.  約28〜34 mMのヒスチジン；
c.  約84〜約146 mMのスクロース；
d.  約158〜約274のマンニトール。
【請求項２】
前記抗TF-ADCの抗体部分が以下を含む、請求項1に記載の水溶液：
a.  SEQ ID NO: 6に示されるアミノ酸配列を有するCDR1領域、SEQ ID NO: 7に示されるアミノ酸配列を有するCDR2領域、およびSEQ ID NO: 8に示されるアミノ酸配列を有するCDR3領域を含む重鎖可変（VH）領域、ならびにSEQ ID NO: 46に示されるアミノ酸配列を有するCDR1領域、SEQ ID NO: 47に示されるアミノ酸配列を有するCDR2領域、およびSEQ ID NO: 48に示されるアミノ酸配列を有するCDR3領域を含む軽鎖可変（VL）領域、または
b.  SEQ ID NO: 34に示されるアミノ酸配列を有するCDR1領域、SEQ ID NO: 35に示されるアミノ酸配列を有するCDR2領域、およびSEQ ID NO: 36に示されるアミノ酸配列を有するCDR3領域を含むVH領域、ならびにSEQ ID NO: 74に示されるアミノ酸配列を有するCDR1領域、SEQ ID NO: 75に示されるアミノ酸配列を有するCDR2領域、およびSEQ ID NO: 76に示されるアミノ酸配列を有するCDR3領域を含むVL領域、または
c.  SEQ ID NO: 38に示されるアミノ酸配列を有するCDR1領域、SEQ ID NO: 39に示されるアミノ酸配列を有するCDR2領域、およびSEQ ID NO: 40に示されるアミノ酸配列を有するCDR3領域を含むVH領域、ならびにSEQ ID NO: 78に示されるアミノ酸配列を有するCDR1領域、SEQ ID NO: 79に示されるアミノ酸配列を有するCDR2領域、およびSEQ ID NO: 80に示されるアミノ酸配列を有するCDR3領域を含むVL領域、または
d.  SEQ ID NO: 2に示されるアミノ酸配列を有するCDR1領域、SEQ ID NO: 3に示されるアミノ酸配列を有するCDR2領域、およびSEQ ID NO: 4に示されるアミノ酸配列を有するCDR3領域を含むVH領域、ならびにSEQ ID NO: 42に示されるアミノ酸配列を有するCDR1領域、SEQ ID NO: 43に示されるアミノ酸配列を有するCDR2領域、およびSEQ ID NO: 44に示されるアミノ酸配列を有するCDR3領域を含むVL領域、または
e.  上記（a）〜（d）で定義される抗体のいずれかの変種であって、好ましくは、上記（a）〜（d）で定義されるアミノ酸配列中に最大で1、2もしくは3つのアミノ酸改変、より好ましくはアミノ酸置換、例えば保存的アミノ酸置換を有する、変種。
【請求項３】
前記抗TF-ADCの抗体部分が以下を含む、請求項1または2に記載の水溶液：
a.  SEQ ID NO: 5のアミノ酸配列を含むVH領域およびSEQ ID NO: 45のアミノ酸配列を含むVL領域、
b.  SEQ ID NO: 33のアミノ酸配列を含むVH領域およびSEQ ID NO: 73のアミノ酸配列を含むVL領域、
c.  SEQ ID NO: 37のアミノ酸配列を含むVH領域およびSEQ ID NO: 77のアミノ酸配列を含むVL領域、または
d.  SEQ ID NO: 1のアミノ酸配列を含むVH領域およびSEQ ID NO: 41のアミノ酸配列を含むVL領域。
【請求項４】
抗体分子あたりの薬物部分の平均絶対数が、1、2、3、4、5、6、7、または8、例えば3、4、または5、好ましくは4である、請求項1〜3のいずれか一項に記載の水溶液。
【請求項５】
前記抗TF抗体が、疎水性の薬物にコンジュゲートされている、請求項1〜4のいずれか一項に記載の水溶液。
【請求項６】
前記薬物が、アウリスタチンまたはその機能性ペプチドアナログもしくは誘導体である、請求項1〜5のいずれか一項に記載の水溶液。
【請求項７】
前記薬物が、前記抗TF抗体のスルフヒドリル基に付加されたリンカーを介して該抗TF抗体に連結されており、スルフヒドリル基が該抗TF抗体の部分還元によって得られたものである、請求項1〜6のいずれか一項に記載の水溶液。
【請求項８】
前記薬物がMMAEまたはMMAFである、請求項1〜7のいずれか一項に記載の水溶液。
【請求項９】
前記薬物がリンカー−薬物を介して前記抗TF抗体に連結されており、該リンカー−薬物が、mcMMAE、vcMMAE、vcMMAF、またはmcMMAFから選択され、最も好ましくはvcMMAEである、請求項1〜8のいずれか一項に記載の水溶液。
【請求項１０】
前記抗TF抗体が全長抗体である、請求項1〜9のいずれか一項に記載の水溶液。
【請求項１１】
前記抗TF抗体が、全長完全ヒトモノクローナルIgG1抗体であり、任意でヒトIgG1κである、請求項1〜10のいずれか一項に記載の水溶液。
【請求項１２】
約84〜約92 mMのスクロース、例えば約88 mMのスクロースを含む、請求項1〜11のいずれか一項に記載の水溶液。
【請求項１３】
約158〜約172 mMのマンニトール、例えば約165 mMのマンニトールを含む、請求項1〜12のいずれか一項に記載の水溶液。
【請求項１４】
約29 mM〜約31 mMのヒスチジン、例えば約30 mMのヒスチジンを含む、請求項1〜13のいずれか一項に記載の水溶液。
【請求項１５】
約8〜約15 g/Lの抗TF ADC、例えば約9〜約11 g/Lの抗TF ADC、例えば約10 g/Lの抗TF ADCを含む、請求項1〜14のいずれか一項に記載の水溶液。
【請求項１６】
前記水溶液のpHが、約5.5〜6.5の範囲内、例えば約6である、請求項1〜15のいずれか一項に記載の水溶液。
【請求項１７】
前記水溶液が約9〜約11 g/Lの抗TF ADC、例えば約10 mg/mLの抗TF ADC、約30 mMのヒスチジン、約88 mMのスクロース、および約165 mMのマンニトールを含む、請求項1〜16のいずれか一項に記載の水溶液。
【請求項１８】
前記抗TF-ADCの抗体部分が、SEQ ID NO: 6に示されるアミノ酸配列を有するCDR1領域、SEQ ID NO: 7に示されるアミノ酸配列を有するCDR2領域、およびSEQ ID NO: 8に示されるアミノ酸配列を有するCDR3領域を含む重鎖可変（VH）領域、ならびにSEQ ID NO: 46に示されるアミノ酸配列を有するCDR1領域、SEQ ID NO: 47に示されるアミノ酸配列を有するCDR2領域、およびSEQ ID NO: 48に示されるアミノ酸配列を有するCDR3領域を含む軽鎖可変（VL）領域を含み、薬物−リンカーがvcMMAEである、請求項1〜17のいずれか一項に記載の水溶液。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
避妊方法（contraceptive method）の使用、好ましくは避妊方法におけるドロスピレノン（drospirenone）の使用に関連する、静脈血栓塞栓症（ＶＴＥ）のリスクの低減に使用するための組成物であって、前記組成物が有効量のエステトロール（estetrol）を含む、組成物。
【請求項２】
避妊方法（contraceptive method）の使用、好ましくは避妊方法におけるドロスピレノン（drospirenone）の使用に関連する、静脈血栓塞栓症（VTE）のリスクを低減するための医薬の製造のための有効量のエステロール（estetrol）を含む組成物の使用。
【請求項３】
前記組成物がさらにプロゲストゲン成分を含み、好ましくは前記プロゲストゲン成分（progestogenic component）がプロゲステロン（progesterone）、デソゲストレル（desogestrel）、ゲストデン（gestodene）、ジエノゲスト（dienogest）、レボノルゲストレル（levonorgestrel）、ノルゲスチメート（norgestimate）、ノルエチステロン（norethisterone）、ドロスピレノン（drospirenone）、トリメゲストン（trimegestone）、ジドロゲステロン（dydrogesterone）、これらのプロゲストゲンの前駆体（precursors of these progestogens）およびそれらの混合物からなる群から選択される、請求項1または2に記載の使用のための組成物または使用。
【請求項４】
治療に関連する副作用の数、頻度および重症度の1つまたは複数が、同様の効力の他の避妊治療と比較して低減されている、請求項1から3のいずれか一項に記載の使用のための組成物または使用。
【請求項５】
エステトロール成分（ｅｓｔｅｔｒｏｌ  ｃｏｍｐｏｎｅｎｔ）が１ｍｇ〜４０ｍｇの１日量、好ましくは５ｍｇ〜２５ｍｇの１日量、より好ましくは１０ｍｇから２０ｍｇの１日量、さらにより好ましくは約１５ｍｇの１日量で使用される、請求項１〜４のいずれか一項記載の使用のための組成物または使用。
【請求項６】
前記組成物が、ドロスピレノン（drospirenone）をさらに含む、請求項３から５のいずれか一項に記載の使用のための組成物または使用。
【請求項７】
ドロスピレノン（ｄｒｏｓｐｉｒｅｎｏｎｅ）が、０．５ｍｇ〜１０ｍｇの１日量、好ましくは１ｍｇ〜４ｍｇの１日量、より好ましくは約３ｍｇの１日量で使用される、請求項６に記載の使用のための組成物または使用。
【請求項８】
投与方法が、約7日の無投与間隔、好ましくは約4日の無投与間隔との組み合わせた投与方法である、請求項1から7のいずれか一項に記載の使用のための組成物または使用。
【請求項９】
エステトロール成分（ｅｓｔｅｔｒｏｌ  ｃｏｍｐｏｎｅｎｔ）が、エステトロール（ｅｓｔｅｔｒｏｌ）、好ましくはエステトロール一水和物（ｅｓｔｅｔｒｏｌ  ｍｏｎｏｈｙｄｒａｔｅ）である、請求項１から８のいずれか一項に記載の使用のための組成物または使用。
【請求項１０】
エステトロール（ｅｓｔｅｔｒｏｌ）が、約１５ｍｇのエステトロールの１日量で使用される、請求項９に記載の使用するための組成物または使用。
【請求項１１】
ドロスピレノン（drospirenone）が、約３ｍｇの１日量で使用される、請求項１０に記載の使用のための組成物または使用。
【請求項１２】
組成物が経口投与単位として処方され、好ましくは投与単位が１日投与単位に対応するように処方される、請求項１から１１のいずれか一項に記載の使用のための組成物または使用。
【請求項１３】
エストロゲン成分（ｅｓｔｒｏｇｅｎｉｃ  ｃｏｍｐｏｎｅｎｔ）およびプロゲストゲン成分（ｐｒｏｇｅｓｔｏｇｅｎｉｃ  ｃｏｍｐｏｎｅｎｔ）が存在する場合には、別々の投与単位または単一の投与単位で投与される、請求項１２に記載の使用のための組成物または使用。
【請求項１４】
１、２または３サイクルの投与後の止血変化が正常範囲の境界を超えない、請求項１から１３のいずれか一項に記載の使用のための組成物または使用。
【請求項１５】
ＶＴＥリスクが２０μｇのエチニルエストラジオール（ｅｔｈｉｎｙｌｅｓｔｒａｄｉｏｌ）と３ｍｇのドロスピレノン（ｄｒｏｓｐｉｒｅｎｏｎｅ）の組み合わせに関連するＶＴＥリスクよりも低い、請求項１から１４のいずれか一項に記載の使用のための組成物または使用。
【請求項１６】
ＶＴＥリスクが、代理ＶＴＥマーカー、好ましくはＤ−ダイマー、性ホルモンー結合グロブリン（ＳＨＢＨ）、プロテインＣ活性またはプロテインＳ活性、より好ましくはＳＨＢＧ、によって評価される、請求項１から１５のいずれか一項に記載の使用のための組成物または使用。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
（Ａ）アルキルグリコシド型界面活性剤［以下、（Ａ）成分という］、任意の（Ｂ）（Ａ）成分以外の界面活性剤［以下、（Ｂ）成分という］、任意の（Ｃ）香料［以下、（Ｃ）成分という］、任意の（Ｄ）溶剤［以下、（Ｄ）成分という］、及び水を含有し、（Ａ）成分の含有量と、（Ａ）成分と（Ｂ）成分の合計含有量との質量比（Ａ）／［（Ａ）＋（Ｂ）］が、０．６５以上であり、（Ｄ）成分の含有量が２質量％以下であり、水を除く全成分中、（Ａ）成分、（Ｂ）成分、（Ｃ）成分、（Ｄ）成分の合計含有量の割合が９０質量％以上であり、３０℃におけるｐＨが４以上９未満である、床用処理剤組成物。
【請求項２】
（Ｂ）成分が陽イオン界面活性剤を含む、請求項１に記載の床用処理剤組成物。
【請求項３】
請求項１又は２に記載の床用処理剤組成物を水で希釈して調製した、（Ａ）アルキルグリコシド型界面活性剤を５ｐｐｍ以上１０００ｐｐｍ以下、及び水を含有する組成物を床に塗布し、乾燥させる床面の処理方法。
【請求項４】
請求項１又は２に記載の床用処理剤組成物を水で希釈して調製した、（Ａ）アルキルグリコシド型界面活性剤を５ｐｐｍ以上１０００ｐｐｍ以下、及び水を含有する組成物を床に塗布し、水拭きせずに乾燥させる床面の処理方法。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
互いに近接または離間する方向へ変位可能な第１部材および第２部材を有し、これら第１部材および第２部材の間を開口部とする遊技球が入球可能な入球口と、
その入球口に遊技球が入球したことに基づいて、特典を付与することが可能な特典付与手段と、
前記第１部材の前記開口部側の先端部と、前記第２部材の前記開口部側の先端部との間隔を、第１間隔と、前記第１間隔よりも広い第２間隔とに変位させることが可能な変位手段と、
前記変位手段により、前記第１部材の前記開口部側の先端部と、前記第２部材の前記開口部側の先端部との間隔が前記第１間隔に変位された場合に、前記開口部と対向する位置に配置され、前記開口部へ遊技球が入球することを規制することが可能な規制部材と、を備え、
前記変位手段により、前記第１部材の前記開口部側の先端部と、前記第２部材の前記開口部側の先端部との間隔が前記第２間隔に変位された場合には、前記規制部材に対向しない領域が前記開口部に生じることにより、遊技球が前記入球口に入球可能な状態となり、
前記変位手段により、前記第１部材の前記開口部側の先端部と、前記第２部材の前記開口部側の先端部との間隔が前記第１間隔よりも広い前記第２間隔に変位される変位態様として、第１変位態様と、前記第１変位態様よりも前記入球口へ遊技球を入球させることが容易となる第２変位態様とを設定可能であることを特徴とする遊技機。
【手続補正２】
【補正対象書類名】明細書
【補正対象項目名】０００２
【補正方法】変更
【補正の内容】
【０００２】
パチンコ機等の遊技機において、遊技球が入球可能な入球口を備えており、通常時は、遊技球が入球口に入球することを規制部材により規制されて、入球口に入球可能となる条件が成立した場合に、入球口を遊技球が入球可能な状態にする遊技機が提案されている。
【手続補正３】
【補正対象書類名】明細書
【補正対象項目名】０００４
【補正方法】変更
【補正の内容】
【０００４】
しかしながら、更なる遊技性の向上が求められている。
【手続補正４】
【補正対象書類名】明細書
【補正対象項目名】０００５
【補正方法】変更
【補正の内容】
【０００５】
本発明は、上記例示した問題点を解決するためになされたものであり、遊技者が享受する遊技性を向上させることができる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、互いに近接または離間する方向へ変位可能な第１部材および第２部材を有し、これら第１部材および第２部材の間を開口部とする遊技球が入球可能な入球口と、その入球口に遊技球が入球したことに基づいて、特典を付与することが可能な特典付与手段と、前記第１部材の前記開口部側の先端部と、前記第２部材の前記開口部側の先端部との間隔を、第１間隔と、前記第１間隔よりも広い第２間隔とに変位させることが可能な変位手段と、前記変位手段により、前記第１部材の前記開口部側の先端部と、前記第２部材の前記開口部側の先端部との間隔が前記第１間隔に変位された場合に、前記開口部と対向する位置に配置され、前記開口部へ遊技球が入球することを規制することが可能な規制部材と、を備え、前記変位手段により、前記第１部材の前記開口部側の先端部と、前記第２部材の前記開口部側の先端部との間隔が前記第２間隔に変位された場合には、前記規制部材に対向しない領域が前記開口部に生じることにより、遊技球が前記入球口に入球可能な状態となり、前記変位手段により、前記第１部材の前記開口部側の先端部と、前記第２部材の前記開口部側の先端部との間隔が前記第１間隔よりも広い前記第２間隔に変位される変位態様として、第１変位態様と、前記第１変位態様よりも前記入球口へ遊技球を入球させることが容易となる第２変位態様とを設定可能であるものである。
【手続補正６】
【補正対象書類名】明細書
【補正対象項目名】０００９
【補正方法】変更
【補正の内容】
【０００９】
請求項１記載の遊技機によれば、互いに近接または離間する方向へ変位可能な第１部材および第２部材を有し、これら第１部材および第２部材の間を開口部とする遊技球が入球可能な入球口と、その入球口に遊技球が入球したことに基づいて、特典を付与することが可能な特典付与手段と、前記第１部材の前記開口部側の先端部と、前記第２部材の前記開口部側の先端部との間隔を、第１間隔と、前記第１間隔よりも広い第２間隔とに変位させることが可能な変位手段と、前記変位手段により、前記第１部材の前記開口部側の先端部と、前記第２部材の前記開口部側の先端部との間隔が前記第１間隔に変位された場合に、前記開口部と対向する位置に配置され、前記開口部へ遊技球が入球することを規制することが可能な規制部材と、を備え、前記変位手段により、前記第１部材の前記開口部側の先端部と、前記第２部材の前記開口部側の先端部との間隔が前記第２間隔に変位された場合には、前記規制部材に対向しない領域が前記開口部に生じることにより、遊技球が前記入球口に入球可能な状態となり、前記変位手段により、前記第１部材の前記開口部側の先端部と、前記第２部材の前記開口部側の先端部との間隔が前記第１間隔よりも広い前記第２間隔に変位される変位態様として、第１変位態様と、前記第１変位態様よりも前記入球口へ遊技球を入球させることが容易となる第２変位態様とを設定可能であるものである。
【手続補正７】
【補正対象書類名】明細書
【補正対象項目名】００１０
【補正方法】変更
【補正の内容】
【００１０】
よって、遊技者が享受する遊技性を向上させることができるという効果がある。
【手続補正８】
【補正対象書類名】明細書
【補正対象項目名】０８３５
【補正方法】変更
【補正の内容】
【０８３５】
１０                                            パチンコ機（遊技機）
１１１ 払出制御装置（特典付与手段）
５０６５ａ 特定入賞口（入球口）
Ｎ４２，Ｎ４３ 釘（規制部材の一部）
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
遠位端部分及び近位端部分を有するカテーテルと、
前記カテーテルの前記遠位端部分に取り付けられたバルーン近位端部分及び閉鎖バルーン遠位端を有する反転可能バルーンと、
前記バルーン遠位端に取り付けられた可撓性テザーと、
膨張ポートと、
を含む装置であって、
前記装置は、前記反転可能バルーンを反転するのに十分なその加圧を可能にするために密封される、
ことを特徴とする装置。
【請求項２】
前記装置の加圧の前に、前記反転可能バルーンは、前記バルーン遠位端が前記バルーン近位端部分の近位であるように前記カテーテルの中に延びることを特徴とする請求項１に記載の装置。
【請求項３】
前記カテーテルの前記近位端部分は、第１の断面寸法を有し、該カテーテルの前記遠位端部分は、第２の断面寸法を有し、
前記第２の断面寸法は、前記第１の断面寸法よりも小さい、
ことを特徴とする請求項１又は請求項２に記載の装置。
【請求項４】
前記第１の断面寸法は、前記カテーテルの前記近位端部分の長さにわたって実質的に一定であり、前記第２の断面寸法は、該カテーテルの前記遠位端部分の長さにわたって実質的に一定であることを特徴とする請求項３に記載の装置。
【請求項５】
前記カテーテルの前記近位端部分は、第１の内径及び第１の外径を有する第１の管状構造を含み、該カテーテルの前記遠位端部分は、第２の内径及び第２の外径を有する第２の管状構造を含み、
前記第１の内径は、前記第２の外径よりも大きい、
ことを特徴とする請求項１又は請求項２に記載の装置。
【請求項６】
前記カテーテルの前記遠位及び近位端部分は、別々の構成要素であることを特徴とする請求項１又は請求項２に記載の装置。
【請求項７】
前記カテーテルの前記遠位及び近位端部分に取り付けられてこれらを接続する接続スリーブを更に含むことを特徴とする請求項６に記載の装置。
【請求項８】
前記接続スリーブは、切断可能であり、かつ予め決められた引張力よりも大きい引張力の印加時に切断されるように設計されることを特徴とする請求項７に記載の装置。
【請求項９】
前記カテーテルの前記近位端部分内に摺動可能に受け入れられる脱離チューブを更に含み、
前記脱離チューブは、前記予め決められた引張力よりも大きい引張力を前記接続スリーブに印加して該接続スリーブを切り離し、かつ前記カテーテルの前記遠位端部分を該カテーテルの前記近位端部分から脱離させるように、該カテーテルの該近位端部分と相対的に進められるように構成される、
ことを特徴とする請求項８に記載の装置。
【請求項１０】
前記カテーテルの加圧を可能にするように構成された、該カテーテルの前記近位端部分と前記脱離チューブ間の界面のシールを更に含むことを特徴とする請求項９に記載の装置。
【請求項１１】
前記テザーは、前記カテーテルを通って該カテーテルの前記近位端部分から出て近位に延びることを特徴とする請求項１又は請求項２に記載の装置。
【請求項１２】
前記カテーテルの前記近位端部分の少なくとも一部分を通って延び、かつそれと相対的に摺動可能である支持チューブを更に含み、
前記テザーは、前記支持チューブを通ってその近位に延びる、
ことを特徴とする請求項１１に記載の装置。
【請求項１３】
前記カテーテルの加圧を可能にするために前記支持チューブと前記テザー間にシールを形成するように構成された支持チューブシールを更に含むことを特徴とする請求項１２に記載の装置。
【請求項１４】
前記支持チューブシールは、それと相対的な前記テザーの摺動を可能にするように調節可能であることを特徴とする請求項１３に記載の装置。
【請求項１５】
前記脱離チューブの少なくとも一部分を通って延び、かつそれと相対的に摺動可能である支持チューブを更に含み、
前記テザーは、前記支持チューブを通ってその近位に延びる、
ことを特徴とする請求項９に記載の装置。
【請求項１６】
前記カテーテルの加圧を可能にするように構成された、前記脱離チューブと前記支持チューブ間の界面の脱離チューブシールを更に含むことを特徴とする請求項１５に記載の装置。
【請求項１７】
前記カテーテルの少なくとも一部分を取り囲むシースを更に含み、
前記シースは、前記反転可能バルーンが少なくとも部分的に反転された時に前記反転可能バルーンを保護するために前記カテーテルの遠位端を過ぎて遠位に伸張するように、該カテーテルに対して摺動可能である、
ことを特徴とする請求項１又は請求項２に記載の装置。
【請求項１８】
子宮鏡の作動チャネルの中に挿入されることを特徴とする請求項１又は請求項２に記載の装置。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
遊技球が進入した場合に大当り抽選と小当り抽選とが行われる始動部を備え、前記大当り抽選に当選した場合には、所定の表示装置に大当り図柄が表示されて特別遊技状態へ移行し、当該特別遊技状態において前記大当り図柄の種類に対応したラウンド数にて所定の入賞装置が動作し、前記小当り抽選に当選した場合には、前記所定の表示装置に前記大当り図柄とは別の小当り図柄が表示されて当該小当り図柄に対応した入賞装置が動作するように構成された遊技機であって、
前記特別遊技状態の後に、通常の遊技状態より前記始動部へ遊技球が進入し易い第１の有利遊技状態を発生させる制御を行う手段と、
前記第１の有利遊技状態の後に開始される遊技状態であって、前記通常の遊技状態及び前記第１の有利遊技状態より、前記小当り抽選の当選によって遊技者が遊技球の入賞による遊技価値を獲得し易い第２の有利遊技状態を発生させる制御を行う手段とを備え、
前記第２の有利遊技状態へ遷移した場合に当該第２の有利遊技状態において遊技者が獲得する遊技価値として、前記特別遊技状態において前記ラウンド数として設定されている最大のラウンド数にて獲得可能な遊技価値より多くの遊技価値を獲得できる場合と獲得できない場合とがあるように構成されていることを特徴とする遊技機。
【請求項２】
請求項１記載の遊技機において、パチンコ機であることを特徴とする遊技機。
【手続補正２】
【補正対象書類名】明細書
【補正対象項目名】０００４
【補正方法】変更
【補正の内容】
【０００４】
上記の従来の遊技機において、通常の遊技状態に比べて遊技者に有利な遊技状態を発生させる構成について改良の余地がある可能性があった。
【手続補正３】
【補正対象書類名】明細書
【補正対象項目名】０００５
【補正方法】変更
【補正の内容】
【０００５】
そこで、本発明に係る遊技機では、通常の遊技状態に比べて遊技者に有利な遊技状態を好適に発生させることが可能な遊技機を提供することを目的としている。
【手続補正４】
【補正対象書類名】明細書
【補正対象項目名】０００６
【補正方法】変更
【補正の内容】
【０００６】
本発明に係る遊技機は、上記の課題を解決するために、
遊技球が進入した場合に大当り抽選と小当り抽選とが行われる始動部を備え、前記大当り抽選に当選した場合には、所定の表示装置に大当り図柄が表示されて特別遊技状態へ移行し、当該特別遊技状態において前記大当り図柄の種類に対応したラウンド数にて所定の入賞装置が動作し、前記小当り抽選に当選した場合には、前記所定の表示装置に前記大当り図柄とは別の小当り図柄が表示されて当該小当り図柄に対応した入賞装置が動作するように構成された遊技機であって、
前記特別遊技状態の後に、通常の遊技状態より前記始動部へ遊技球が進入し易い第１の有利遊技状態を発生させる制御を行う手段と、
前記第１の有利遊技状態の後に開始される遊技状態であって、前記通常の遊技状態及び前記第１の有利遊技状態より、前記小当り抽選の当選によって遊技者が遊技球の入賞による遊技価値を獲得し易い第２の有利遊技状態を発生させる制御を行う手段とを備え、
前記第２の有利遊技状態へ遷移した場合に当該第２の有利遊技状態において遊技者が獲得する遊技価値として、前記特別遊技状態において前記ラウンド数として設定されている最大のラウンド数にて獲得可能な遊技価値より多くの遊技価値を獲得できる場合と獲得できない場合とがあるように構成されていることを特徴としている。
【手続補正５】
【補正対象書類名】明細書
【補正対象項目名】０００７
【補正方法】変更
【補正の内容】
【０００７】
本発明に係る遊技機であれば、通常の遊技状態に比べて遊技者に有利な遊技状態を好適に発生させることが可能な遊技機を提供することができる。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
基板を印刷するためのシステムであって、
前記システムは、
内部を画定するガスエンクロージャと、
前記ガスエンクロージャアセンブリの前記内部に収納されている印刷システムと
を備え、
前記印刷システムは、
少なくとも１つのプリントヘッドを備えるプリントヘッドアセンブリと、
基板を支持するための基板支持装置と、
前記プリントヘッドアセンブリに対して前記基板を位置付けるための運動システムと
を備え、
前記運動システムは、
Ｙ軸線形空気ベアリング運動システムであって、前記Ｙ軸線形空気ベアリング運動システムは、
前記基板支持によって支持されるときに前記基板を握持するための基板グリッパアセンブリであって、前記基板グリッパアセンブリは、Ｘ−Ｙ−Ｚデカルト座標系のＺ軸の周りにＸ−Ｙ平面において回転可能であり、Ｙ軸方向において並進で移動可能である、基板グリッパアセンブリと、
前記Ｚ軸の周りに前記基板グリッパアセンブリの回転を制御するように構成されたグリッパ運動制御アセンブリと
を備える、Ｙ軸線形空気ベアリング運動システムと、
Ｘ軸線形空気ベアリング運動システムと
を備える、システム。
【請求項２】
前記グリッパ運動制御アセンブリは、前記基板グリッパアセンブリによって握持される基板の所定の配向を前記Ｙ軸方向に対して維持するように、前記Ｚ軸の周りに前記基板グリッパアセンブリを回転するように構成されている、請求項１に記載のシステム。
【請求項３】
前記グリッパ運動制御アセンブリは、前記基板グリッパアセンブリによって握持される基板の配向を＋／−４３００マイクロラジアン以内で前記Ｙ軸と平行に維持するように、前記Ｚ軸の周りに前記基板グリッパアセンブリを回転するように構成されている、請求項２に記載のシステム。
【請求項４】
前記基板支持装置は、浮動式テーブルを備え、
前記基板グリッパアセンブリは、前記浮動式テーブルによって支持される前記基板の周囲部分を握持するように、前記浮動式テーブルの側に沿って位置付けられ、前記基板グリッパアセンブリは、前記Ｙ軸方向に前記浮動式テーブルに対して移動するように構成されている、請求項１〜３のいずれかに記載のシステム。
【請求項５】
前記基板支持装置は、約６１０ｍｍ×７２０ｍｍから約２８５０ｍｍ×３０５０ｍｍに及ぶサイズの基板を支持するように構成されている、請求項１〜４のいずれかに記載のシステム。
【請求項６】
前記ガスエンクロージャに連結されたガス循環および濾過システムをさらに備え、前記ガス循環および濾過システムは、前記ガスエンクロージャの前記内部に低粒子環境を維持するように構成され、前記低粒子環境は、サイズが２μｍ以上の粒子に対して、１分あたり基板の１平方メートルあたり約１００個以下の粒子の基板上堆積率仕様を満たす、請求項１〜５のいずれかに記載のシステム。
【請求項７】
前記ガスエンクロージャに連結されたガス精製システムをさらに備え、前記ガス精製システムは、前記ガスエンクロージャの前記内部の環境内のガスの１つ以上の反応種のそれぞれを１００ｐｐｍ未満に維持するように構成されている、請求項１〜６のいずれかに記載のシステム。
【請求項８】
前記反応種は、水蒸気および酸素から選択される、請求項７に記載のシステム。
【請求項９】
前記基板グリッパアセンブリは、真空力で前記基板を握持するように動作可能な真空チャックバーを備える、請求項１〜８のいずれかに記載のシステム。
【請求項１０】
前記グリッパ運動制御システムは、前記グリッパアセンブリが前記Ｙ軸方向に移動させられると、前記Ｚ軸の周りに前記グリッパアセンブリを動的に回転するように構成されている、請求項１〜９のいずれかに記載のシステム。
【請求項１１】
前記Ｙ軸線形空気ベアリング運動システムは、
前記基板支持装置の側に沿って位置し、前記Ｙ軸に平行して延在する、ビームと、
前記ビームに沿って並進で移動可能なＹ軸キャリッジアセンブリであって、前記Ｙ軸キャリッジアセンブリは、前記ビーム上に前記Ｙ軸キャリッジアセンブリを支えるための複数の空気ベアリングを備える、Ｙ軸キャリッジアセンブリと
を備え、
前記Ｙ軸キャリッジアセンブリは、前記基板グリッパアセンブリに連結されている、請求項１〜１０のいずれかに記載のシステム。
【請求項１２】
前記グリッパ運動制御システムは、前記Ｙ軸キャリッジの側に沿って配列されている、２つのモータアセンブリと枢動アセンブリとを備え、前記枢動アセンブリは、前記２つのモータアセンブリの間に位置し、前記２つのモータアセンブリは、それぞれ、反対の方向に前記基板グリッパアセンブリを前記枢動アセンブリの周りに回転させるために、前記基板グリッパアセンブリの反対の端に運動を与えるように配列されている、請求項１１に記載のシステム。
【請求項１３】
前記基板支持装置は、前記基板の表面上に前記プリントヘッドからの材料を堆積させるための位置に基板を支持するように構成され、前記Ｚ軸は、前記基板支持装置によって支持されるときに前記基板の前記表面に垂直である、請求項１〜１２のいずれかに記載のシステム。
【請求項１４】
前記運動システムは、前記基板上に前記プリントヘッドアセンブリによる材料の堆積の間に、前記Ｙ軸方向に、前記基板支持装置によって支持される基板を移動させるように構成されている、請求項１〜１３のいずれかに記載のシステム。
【請求項１５】
前記Ｘ軸線形空気ベアリング運動システムは、前記基板上に前記プリントヘッドアセンブリによる材料の堆積の間に、Ｘ軸に平行の方向に沿って前記プリントヘッドアセンブリを移動させるように構成されている、請求項１〜１４のいずれかに記載のシステム。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
取得した検品対象画像に含まれる１つまたは複数の物品と、検品されるべき物品として予め登録された検品物品とが一致するかを判定する照合部と、
前記照合部による判定結果に基づく検品作業支援情報を表示する表示制御部と、を備え、
前記物品と前記検品物品とが異なると前記照合部が判定した場合、前記表示制御部は、検品作業支援情報として、前記物品が写る前記検品対象画像上に、前記物品と前記検品物品とが異なることを示す表示を行う、
検品処理装置。
【請求項２】
前記表示制御部は、検品作業支援情報として、前記検品対象画像に写る前記物品の輪郭を強調する表示を行うことで、前記物品と前記検品物品とが異なることを示す
請求項１に記載の検品処理装置。
【請求項３】
取得した検品対象画像に含まれる１つまたは複数の物品と、検品されるべき物品として予め登録された検品物品とが一致するかを判定する照合部と、
前記照合部による判定結果に基づく検品作業支援情報を表示する表示制御部とを備え、
前記検品対象画像に、前記物品と前記検品物品とが一致するかを前記照合部が判定するための特徴的な箇所が写っていない場合、前記表示制御部は、検品作業支援情報として、前記物品が写る前記検品対象画像上に、前記特徴的な箇所を示す表示を行う、
検品処理装置。
【請求項４】
取得した検品対象画像に含まれる１つまたは複数の物品と、検品されるべき物品として予め登録された検品物品とが一致するかを判定する照合部と、
前記照合部による判定結果に基づく検品作業支援情報を表示する表示制御部とを備え、
前記物品と前記検品物品とが一致すると前記照合部が判定した場合、前記表示制御部は、検品作業支援情報として、前記物品が写る前記検品対象画像上に、前記物品に対応する明細番号を表示する、
検品処理装置。
【請求項５】
前記照合部は、前記検品物品と前記検品物品に外観が類似する物品を選択して前記物品と前記検品物品とが一致するかを判定する、
請求項１から請求項４の何れか１項に記載の検品処理装置。
【請求項６】
前記照合部が、前記物品と前記検品物品とが一致すると判定した場合、
前記表示制御部は、検品作業支援情報として、予め登録された前記検品物品の一覧を表示し、前記一覧における一致すると判定された前記物品について、検品が完了したことを示す表示を行う、
請求項１から請求項５の何れか１項に記載の検品処理装置。
【請求項７】
前記照合部が物品を一意に特定できない場合、前記表示制御部は、検品作業支援情報として、前記物品が写る前記検品対象画像上に、前記物品が一意に特定できないことを示す表示を行う、
請求項１から請求項６の何れか１項に記載の検品処理装置。
【請求項８】
前記照合部は、前記検品対象画像と、前記検品物品を複数の方向から撮像して得られた画像のそれぞれとを照合することにより、前記物品が前記検品物品と一致するかを判定する
請求項１から請求項７の何れか１項に記載の検品処理装置。
【請求項９】
１つまたは複数の検品物品の候補の画像を撮像する撮像装置と、
前記撮像装置が撮像した１つまたは複数の検品物品の候補を撮像した検品対象画像を取得する、請求項１から請求項８の何れか１項に記載の検品処理装置と、
を備える検品システム。
【請求項１０】
取得した検品対象画像に含まれる１つまたは複数の物品と、検品されるべき物品として予め登録された検品物品とが一致するかを判定し、
前記物品と前記検品物品とが異なると判定した場合、前記物品が写る前記検品対象画像上に、前記物品と前記検品物品とが異なることを示す表示を行う、
検品処理方法。
【請求項１１】
検品処理装置のコンピュータを、
取得した検品対象画像に含まれる１つまたは複数の物品と、検品されるべき物品として予め登録された検品物品とが一致するかを判定する手段、
前記物品と前記検品物品とが異なると判定した場合、前記物品が写る前記検品対象画像上に、前記物品と前記検品物品とが異なることを示す表示を行う手段、
として機能させるためのプログラム。
【手続補正２】
【補正対象書類名】明細書
【補正対象項目名】０００７
【補正方法】変更
【補正の内容】
【０００７】
本発明の第１の態様は、取得した検品対象画像に含まれる１つまたは複数の物品と、検品されるべき物品として予め登録された検品物品とが一致するかを判定する照合部と、前記照合部による判定結果に基づく検品作業支援情報を表示する表示制御部とを備え、前記物品と前記検品物品とが異なると前記照合部が判定した場合、前記表示制御部は、検品作業支援情報として、前記物品が写る前記検品対象画像上に、前記物品と前記検品物品とが異なることを示す表示を行う検品処理装置である。
【手続補正３】
【補正対象書類名】明細書
【補正対象項目名】０００８
【補正方法】変更
【補正の内容】
【０００８】
本発明の第２の態様は、１つまたは複数の検品物品の候補の画像を撮像する撮像装置と、前記撮像装置が撮像した１つまたは複数の検品物品の候補を撮像した検品対象画像を取得する上記の検品処理装置と、を備える検品システムである。
【手続補正４】
【補正対象書類名】明細書
【補正対象項目名】０００９
【補正方法】変更
【補正の内容】
【０００９】
本発明の第３の態様は、取得した検品対象画像に含まれる１つまたは複数の物品と、検品されるべき物品として予め登録された検品物品とが一致するかを判定し、前記物品と前記検品物品とが異なると判定した場合、前記物品が写る前記検品対象画像上に、前記物品と前記検品物品とが異なることを示す表示を行う、検品処理方法である。
【手続補正５】
【補正対象書類名】明細書
【補正対象項目名】００１０
【補正方法】変更
【補正の内容】
【００１０】
本発明の第４の態様は、検品処理装置のコンピュータを、取得した検品対象画像に含まれる１つまたは複数の物品と、検品されるべき物品として予め登録された検品物品とが一致するかを判定する手段、前記物品と前記検品物品とが異なると判定した場合、前記物品が写る前記検品対象画像上に、前記物品と前記検品物品とが異なることを示す表示を行う手段、として機能させるためのプログラムである。